【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
錘の役目を兼ねた無端ベルト（液体等も含む）を、左右の長さ（質量）を違える（一方を短く直線の一辺とし、もう一方の長い部分を２辺以上の辺とするか、又は円弧を描く様な形状とする）ことを手段とし、左右それぞれの軌道（通路）が確保され、且つ循環運動できる状態で、この無端ベルトに運動さたとき、無端ベルトの長い部分が短い直線の一辺よりも質量も大きいため慣性力を多くうけることができ（慣性力という形であらたなエネルギーの発生）、無端ベルトの進行方向に従来よりも慣性力が多く働く為、運動効率が高まり無端ベルトの循環運動を少エネルギーで可能とすることを特徴とする「循環エネルギー発生方法」。
【請求項２】
請求項１の無端ベルトの短い直線部分を垂直にし、その部分が上昇運動するような運動エネルギーを加えることで、軌道（通路）と接する部分に吸収されていた無端ベルトの重力が無端ベルトの運動により開放され、無端ベルトに戻されるが無端ベルトの垂直部分以外は進行方向が下降軌道であり質量（長さ）も垂直部分よりも大きく、重力の影響を多く受けることができ、無端ベルトの運動エネルギーの一部を重力でまかなわせることを特徴とする「重力変換方法」。
【請求項３】
請求項１並びに請求項２の無端ベルト（液体等も含む）または、軌道（通路）を形成する構造物を複数本束ね一つの構造体としたことを特徴とする「循環構造体」。
【請求項４】
「循環エネルギー発生方法」、並びに「重力変換方法」、並びに「循環構造体」を用いることで生じさせることを特徴とするエネルギー。
【手続補正２】
【補正対象書類名】明細書
【補正対象項目名】全文
【補正方法】変更
【補正の内容】
【発明の詳細な説明】
【発明の名称】循環エネルギー発生方法
【技術分野】
【０００１】本発明は化石燃料をエネルギー源とする経済活動で引き起る公害や地球温暖化の防止に役立つ新たなエネルギー発生方法、循環エネルギー発生方法である。
【背景技術】
【０００２】現在、人類の経済活動は一部を除き、化石燃料を大量に使っているため、ＣＯ２などの排ガス等有害物質を大量に発生させている。
【発明が解決しようとする課題】
【０００３】現在のエネルギー利用方法では、地球環境が悪化し生態系への影響がはかりしれない。
【０００４】そこで太陽光や風力などの自然エネルギーが考えられているが、エネルギー効率やコストの面で課題が多い。
【課題を解決する為の手段】
【０００５】錘の役目を兼ねた無端ベルト（液体等も含む）を、左右の長さ（質量）を違える（一方を短く直線の一辺とし、もう一方の長い部分を２辺以上の辺とするか、又は円弧を描く様な形状とする）ことを手段とし、左右それぞれの軌道（通路）が確保され、且つ循環運動できる状態で、この無端ベルトに運動さたとき、無端ベルトの長い部分が短い直線の一辺よりも質量も大きいため慣性力を多くうけることができ（慣性力という形であらたなエネルギーの発生）、無端ベルトの進行方向に従来よりも慣性力が多く働く為、運動効率が高まり無端ベルトの循環運動を少エネルギーで可能とすることを特徴とする「循環エネルギー発生方法」を用いる。
【０００６】そこで、上記「循環エネルギー発生方法」の無端ベルトの短い直線（短部）の一辺を垂直にし、その部分が上昇運動するように運動エネルギーを加えることで、軌道（通路）と接する部分に吸収されていた無端ベルトの重力が無端ベルトの運動により開放され無端ベルトに戻されるが、無端ベルトの垂直部分以外は進行方向が下降軌道であり質量（長さ）も垂直部分よりも大きく、重力の影響を多く受けることができ、無端ベルトの運動エネルギーの一部を重力でまかなわせることが可能となる。
【０００７】さらに、上記「循環エネルギー発生方法」の無端ベルトを複数本束ね中心軌道を有する循環構造体とし、その中心軌道に始動（入出力）の為のリング等を設け稼動させることで、相乗効果が期待できる。
【０００８】上記の課題解決手段による作用は次の通りである発電などに応用することで、エネルギー問題が解決できる。
【０００９】また、新技術の開発や科学分野の発展など相乗効果も見込める。
【発明の効果】
環境破壊を防止し、科学技術の発展や資源をめぐる戦争や貧困を解決し、意識レベルの向上が見込まれる。
【００１０】以下本発明の実施の形態を図１〜図５に基づいて説明する．
【００１１】図１は従来のエネルギーの利用方法を現している。Ａ辺とＢ辺は同じ質量であり、運動させたときのベクトルの方向は違うが大きさは同じである。つまり、歯車等の回転運動もこれに当たるが重力分が抵抗となっている。
【００１２】図２は無端ベルトを正三角形状にし、一辺を垂直に立てた状態である。このとき、Ａ対ＢＣ辺の長さ（質量）は１対２であるが、重さ（重力）はベルトと軌道（通路）とが接することでＢＣ辺半分の重力が軌道（通路）に吸収され左右同じ重さとなり吊りあっている。つまり、図１のＡ辺と図２のＡ辺に掛かる重力は同じであるがＢＣ辺の長さ（質量）は２倍であるため、運動させることでＡ辺より多くの慣性力を受けることができる。
【００１３】また、Ａ辺を垂直にし、Ａ辺が上昇運動するようにエネルギーを加えると軌道（通路）に吸収されていた重力が開放され無端ベルトに戻るが、ＢＣ辺は下降軌道となるため重力と方向が重なりベルトの運動エネルギーとすることができる。また、逆方向に運動させれば重力が抵抗となる。
【００１４】図３は運動効率をあげるためＢＣ間をなめらかな角度で弧を描くようにしたものである。この形状にしてもＡ辺とＢＣ辺の質量の比率は、（１：２）であり図１−ＩＩで示したようにＢ−Ｃ間の角度を６０度とし、その角度をはみ出さないように図３−Ｉ、図３−ＩＩＩの外周軌道をとるのが望ましいが図２の正三角形の形状でもかまわない。しかし、何れにしろベルトやベルトの軌道には滑車、ベアリング等の摩擦低減装置を用い極力摩擦抵抗を減らすこととする。
【００１５】Ｉ、ＩＩは横  ＩＩＩは上から見た図である。
【００１６】図４−Ｉは複数（６本）の無端ベルトを束ね循環構造体としたときの上から見た図である。図のように中心軸からの放射角度（ＢＣ：ＣＤ）も６０度にすることで６個の軌道をもつ花ような形となるが外周軌道を斜めにしたことで循環構造体が回転力を得ることを考慮しなければならない。（ベルトの代わりに液体を用いる場合、中心軌道を１本でまかなってもよい、など、用途に応じて調整するとよい。）ＩＩは横から見た図である。
【００１７】図５は循環構造体に入力するためのリング（又は無端ベルト）を設けたものである。図では示していないが、リングの設置状況は６本の垂直軌道で挟み込み、リングも軌道が確保された状態である。また、リングの代わりに大きいサイズの無端ベルト（循環構造）を用いてもよい。以上ではあるが入出力等はリングに拘らず、それぞれの用途に応じて対応（変更）するとよい。又これら、リング、循環構造体の材質、設置状況等は要求される運動などを考慮して決定される設計的事項であるため、明記はしない。
【図面の簡単な説明】
【００１８】
【図１】従来のエネルギーの変換効率をあらわしている。
【図２】循環エネルギー発生方法の原理をあらわしたものである。
【図３】Ｉはベルト横から見た図である。又、Ｉ〜ＩＩＩそれぞれベルトの動きも表してる。ＩＩはＩとは別な角度で横から見た図である。ＩＩＩは上から見た図である。
【図４】Ｉは循環構造体を上から見たものである。ＩＩは循環構造体を横から見たものである。また無端ベルトの動きを矢印で現している。
【図５】Ｉはリングを配置した循環構造体を横から見たものである。ＩＩはリングを配置した循環構造体を上から見たものである。
【符号の説明】
【００１９】Ａ，Ｂ，Ｃ，はベルトの軌道の長さ、辺をあらわしている。Ｄは循環構造体である。Ｅは入力するためのリングである。
【手続補正４】
【補正対象書類名】図面
【補正対象項目名】全図
【補正方法】変更
【補正の内容】
【図１】
2012219812.tif 000001
【図２】
2012219812.tif 000002
【図３】
2012219812.tif 000003
【図４】
2012219812.tif 000004
【図５】
2012219812.tif 000005